(57)【要約】【課題】電池に回路基板等を樹脂モールドにより一体化するための凸部及び／又は凹部を形成した電池を提供する。【解決手段】二次電池２の封口板２３の両端側にアンダーカット部分を形成した係合突起２６が形成されている。電気的接続した回路基板を封口板２３上に間隙を隔てて配置し、間隙に樹脂を充填成形すると回路基板は二次電池２に一体化され、形成された一次モールド体１１は係合突起２６にアンダーカット部分が形成されていることにより強固に接合する。前記係合突起２６は別部材である係合部材１２６を封口板２３に溶接して形成することもできる。【選択図】図１
2004006244.tif 000002
【特許請求の範囲】
【請求項１】
任意外面に、そこに充填された樹脂を当該電池に係止するための凸部及び／又は凹部が形成されてなることを特徴とする電池。
【請求項２】
凸部及び／又は凹部は、任意外面から外方に向けてアンダーカットとなる部位が形成されてなる請求項１に記載の電池。
【請求項３】
凸部及び／又は凹部は、任意外面にプレス成形加工により形成されてなる請求項１又は２に記載の電池。
【請求項４】
凸部及び／又は凹部は、別部材が溶接又は接着により任意外面に接合されてなる請求項１又は２に記載の電池。
【請求項５】
凸部及び／又は凹部が封口板に形成されてなる請求項１〜４いずれか一項に記載の電池。
【請求項６】
任意外面に、そこに充填された樹脂を当該電池に係合させるための係合部材が抵抗溶接により接合されてなることを特徴とする電池。
【請求項７】
係合部材は、任意外面から外方に向けてアンダーカットとなる部位が形成されてなる請求項６に記載の電池。
【請求項８】
係合部材は、円柱状の一端側に電池への接合面が形成され、他端側にフランジが形成されてなる請求項６又は７に記載の電池。
【請求項９】
係合部材は、電池の任意外面がアルミニウムで形成されているとき、その材質が鉄に銅メッキ、錫メッキの順にメッキを施したもの、あるいはアルミニウムである請求項８に記載の電池。
【請求項１０】
係合部材は、有底筒状の底面が電池への接合面に形成され、開口端側にフランジが形成されてなる請求項６又は７に記載の電池。
【請求項１１】
係合部材は、電池への接合面に１又は複数の突出部が形成されてなる請求項６〜１０いずれか一項に記載の電池。
【請求項１２】
充填される樹脂を当該電池に係止するための凸部及び／又は凹部が形成された構成要素を用いて当該電池を製造することを特徴とする電池の製造方法。
【請求項１３】
製造された電池の任意外面に、充填される樹脂を当該電池に係止するための凸部及び／又は凹部を形成する別部材を接合することを特徴とする電池の製造方法。
【請求項１４】
電池に樹脂を係合させるための係合部材をその接合面が電池の所定位置に当接するように位置決めし、前記係合部材と前記所定位置に電気的に導通する部位とにそれぞれ溶接電極を当接加圧し、溶接電極に溶接電流を流して係合部材を所定位置に抵抗溶接することを特徴とする電池の製造方法。
【発明の詳細な説明】
【０００１】
【発明の属する技術分野】
本発明は、電池保護回路等を構成した回路基板や外部接続端子等を樹脂により電池と一体に固定して電池パックに構成するために、電池の任意外面上に樹脂を係止するための係合部を形成した電池とその製造方法に関するものである。
【０００２】
【従来の技術】
携帯電話機やＰＤＡなどの携帯電子機器の小型化あるいは薄型化、更には高機能化の進展は著しく、それに対応してその電源となる電池に小型、薄型で高容量化が要求されている。小型で高容量化を可能にする電池としてリチウムイオン二次電池が有効であり、中でも扁平な角形のものは機器の薄型化に好適であり、繰り返し使用ができる二次電池として携帯電子機器への適用が増加している。
【０００３】
前記リチウムイオン二次電池はエネルギー密度が高く、電解液として可燃性の有機溶媒を用いているため、安全性への配慮が重要となる。何らかの原因によって異常が生じたときにも人体や機器に損傷を与えないように安全性を確保する必要がある。例えば、電池の正極端子と負極端子との間が何らかの原因によって短絡した場合、エネルギー密度の高い電池では過大な短絡電流が流れ、内部抵抗によってジュール熱が発生して電池は温度上昇する。電池が高温になると正極板活物質と電解液との反応や電解液の気化、分解などが生じて電池内部のガス圧が急上昇し、電池は破裂や発火に至る恐れがある。電池が高温状態に陥る原因は上記外部短絡だけでなく、二次電池を過充電した場合や、電池を装填した携帯電子機器を暖房機の傍らに置いたり、炎天下に駐車した車内に放置した場合なども該当する。
【０００４】
電池が異常な状態に陥る原因は、電気的、機械的、熱的など種々の要因が考えられ、リチウムイオン二次電池をはじめとする非水電解質二次電池では、電池が異常状態に陥ることを防止すると共に、異常状態に陥った場合にも危険な状態にならないようにする機能が設けられる。電池自体の機能として、極板の活物質や電解液が過剰な反応を起こしにくいように工夫され、セパレータとして用いられるポリオレフィン系微多孔膜は異常な高温になると軟化して細孔が塞がれることによるシャットダウン機能が備わっている。また、円筒形のリチウムイオン二次電池では、封口部に入出力回路と直列に接続したＰＴＣ（Ｐｏｓｉｔｉｖｅ　Ｔｈｅｒｍａｌ　Ｃｏｅｆｆｃｉｅｎｔ）素子を配設して、外部短絡による過大電流を制限する保護機能が設けられている。電池内に前記ＰＴＣ素子が設けられていない電池では、外付けの回路部品としてＰＴＣ素子や温度ヒューズが配線接続され、更に過充電や過放電等から電池を保護する電池保護回路を設けるのが必須要件となっており、これらの構成要素を二次電池と共にパックケース内に収容して電池パックの形態に構成されのが一般的である。
【０００５】
しかし、パックケースを形成するための樹脂成形金型は、その製作費用が高く、開発期間も長くなるので、頻繁に新機種が投入される携帯電子機器などの電池パックとして対応させることが困難である。また、前述のように携帯電子機器の小型化、薄型化に対応できる電池パックを構成するには、樹脂成形により成形できる肉厚に限度があり、樹脂成形によるパックケースを外装ケースとした電池パックでは薄型化に限界がある。
【０００６】
また、電池パックは、それを分解して間違った使用や興味本位で使用されることを防ぐために、分解し難いように構成することや、分解したことが分かるように構成することが安全確保上で重要である。また、携帯電子機器に適用されることを考慮すると、落下等による衝撃や振動に耐え得る堅牢な構造や電子回路部位の耐湿性が要求される。このような分解し難く堅牢且つ耐湿性を有する構造を実現すべく、電池保護回路等を構成した回路基板と電池とを樹脂モールディングにより一体化することが構想されている。
【０００７】
上記樹脂モールディングによる電池パックは、本願出願人により提案したものがあり（特許文献１及び特許文献２参照）、電池と回路基板とを接続部材により接続した中間完成品を金型内に配置し、回路基板に形成した外部接続端子が外部露出するようにして中間完成品の周囲に樹脂を充填して二次電池と回路基板とを一体化している。
【０００８】
また、電池と回路基板とを接続部材により接続したものを金型内に配置し、回路基板を樹脂封止して電池上又はパックケース（電池蓋体）に固定する構成、あるいは回路基板と電池とを樹脂封止する構成が特許文献３に開示されている。
【０００９】
【特許文献１】
特開２００２−１３４０７７号公報（第３〜５頁、図１）
【００１０】
【特許文献２】
特開２００２−１６６４４７号公報（第３〜５頁、図６）
【００１１】
【特許文献３】
特開２０００−３１５４８３号公報（第３〜８頁、図３）
【００１２】
【発明が解決しようとする課題】
樹脂充填により二次電池に回路基板を一体化するとき、樹脂を回路基板及び二次電池に係合させる必要がある。回路基板には電子部品やリード板などが接続されて凹凸部分が多く、充填された樹脂が係合しやすが、二次電池は封口部でも凹凸部分は少なく、平滑面の金属部材で形成されているため樹脂との親和性が低く、充填された樹脂も硬化した後、簡単に剥がれてしまうことになり、回路基板との一体化が不安定な状態になる。従って、二次電池に充填された樹脂を係止するための凹凸部分を設ける必要がある。
【００１３】
しかしながら、上記従来例では充填された樹脂を二次電池に係止するための構造はなく、落下等の衝撃を受けたときに樹脂が剥がれて二次電池から回路基板が離れる恐れがあり、分解が容易になるため興味本位に分解されて二次電池が間違った使用に用いられる恐れもある。
【００１４】
本発明が目的とするところは、樹脂充填により回路基板を一体化するための凸部及び／又は凹部である係合部を形成した電池及びその製造方法を提供することにある。
【００１５】
【課題を解決するための手段】
上記目的を達成するための本願第１発明に係る電池は、任意外面に、そこに充填された樹脂を当該電池に係止するための凸部及び／又は凹部が形成されてなることを特徴とする。電池に回路基板や端子板などを接続し樹脂を充填して電池に一体化することにより、強固で分解し難く耐湿性に優れた構造が得られ、携帯電子機器等の電池電源として相応しいものとなる。充填された樹脂を電池に固着させるには平滑面では樹脂が係合できずに剥がれる恐れがあるが、樹脂が充填される部位に凸部又は凹部である係合部が形成されていると樹脂が電池に係合しやすくなり、一体化構造を堅牢なものとすることができる。
【００１６】
上記構成において、凸部及び／又は凹部は、任意外面から外方に向けてアンダーカットとなる部位を形成すると、アンダーカット部位が樹脂中に収容されて投錨効果が得られ、樹脂の係合をより確実にすることができる。
【００１７】
また、凸部及び／又は凹部は、任意外面にプレス成形加工により形成することにより、樹脂充填による基板または端子板の一体化構造を目的とする電池を構成することができる。
【００１８】
また、凸部及び／又は凹部は、別部材を溶接又は接着により任意外面に接合して構成することにより、特別な電池を構成することなく汎用電池を樹脂充填による一体化構造に用いることができる。
【００１９】
また、凸部及び／又は凹部を封口板に形成することにより、封口板上に基板等を樹脂により一体化することができ、基板等と電池との電気的接続を容易に行うことができる。
【００２０】
また、本願第２発明に係る電池は、任意外面に、そこに充填された樹脂を当該電池に係合させるための係合部材が抵抗溶接により接合されてなることを特徴とするもので、電池に回路基板や端子板などを接続し樹脂を充填して電池に一体化するとき、充填された樹脂が係合部材により電池に係合されるので、金属の平坦面で形成され樹脂に接合しない電池に樹脂を一体化した状態に固着させることができる。
【００２１】
上記係合部材は、任意外面から外方に向けてアンダーカットとなる部位を形成することにより、樹脂に対して投錨効果が得られ、樹脂を電池により確実に係合することができる。
【００２２】
また、係合部材は、円柱状の一端側に電池への接合面に形成され、他端側にフランジを形成した構造や、有底筒状の底面が電池への接合面に形成され、開口端側にフランジが形成された構造に構成することができ、フランジ部分がアンダーカット部位となる。
【００２３】
上記円柱状の係合部材は、電池の任意外面がアルミニウムで形成されているとき、その材質が鉄に銅メッキ、錫メッキの順にメッキを施したもの、あるいはアルミニウムとすると、溶接時の火花の飛び散りが少なく、溶接強度にバラツキが少なくなり安定化を図ることができる。
【００２４】
また、係合部材は、電池への接合面に１又は複数の突出部を形成することにより、突出部に溶接電流が集中して安定した抵抗溶接ができ、溶接電流の集中により溶融した突出部は加圧により平坦化されて係合部材を任意外面に安定した状態に接合される。
【００２５】
また、本願第３発明に係る電池の製造方法は、充填される樹脂を当該電池に係止するための凸部及び／又は凹部を形成した構成要素を用いて当該電池を製造することを特徴とするものである。予め電池の構成要素に凸部及び／又は凹部を形成して、それを用いて電池を製造すると、凸部及び／又は凹部を設けた電池を容易に製造することができる。
【００２６】
また、本願第４発明に係る電池の製造方法は、製造された電池の任意外面に、充填される樹脂を当該電池に係止するための凸部及び／又は凹部を形成する別部材を接合することを特徴とするものである。電池に凸部及び／又は凹部を形成する別部材を接合することにより、凸部及び／又は凹部を設けた電池を製造するために品種を増やすことなく、汎用電池に別部材を接合して凸部及び／又は凹部を設けた電池を製造することができる。
【００２７】
また、本願第５発明に係る電池の製造方法は、電池に樹脂を係合するための係合部材をその接合面が電池の所定位置に当接するように位置決めし、前記係合部材と、前記所定位置と電気的に導通する部位とにそれぞれ溶接電極を当接加圧して、前記溶接電極に溶接電流を流して係合部材を電池の所定位置に溶接接合することを特徴とするもので、溶接電流は係合部材とそれに導通する部位との間に流れるので、係合部材の電池の所定位置に当接した接合面は所定位置に抵抗溶接される。係合部材は既成の電池に溶接接合できるので、係合部材を設けた特殊な電池を形成することなく、所望の電池を樹脂の充填成形の用に用いることができる。
【００２８】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００２９】
本実施形態は、扁平角形のリチウムイオン二次電池に電池保護回路等を構成した回路基板を樹脂充填により一体化して、携帯電話機に適用する電池パックに構成した例を示すものである。携帯電話機に適用する電池パックは、小型、軽量、薄型に加えて高機能化に対応する高エネルギー密度、携帯機器として避けられない落下等による衝撃に耐え得る機械的強度、分解され難い構造、短絡や過充電、高温等から二次電池を保護する安全機能など備えることが要求されており、以下に示す電池パックは、本実施形態に係る二次電池を適用することにより、これらの要件を満たすように構成されている。
【００３０】
図１（ａ）（ｂ）は、本実施形態に係る二次電池２の構成を示すもので、リチウムイオン二次電池として構成された二次電池２は、横断面形状が長円形の有底筒状に形成されたアルミニウム製の電池缶２２内に発電要素を収容し、その開口端は封口板２３がレーザー溶接されることによって封口されている。電池缶２２に接合して電池正極となる封口板２３には、その中央に上ガスケット２４ａ、下ガスケット２４ｂで絶縁して電池負極となるリベット２５が取り付けられている。また、封口板２３の両側には封口板２３をプレス加工してキノコ状の係合突起（係合部）２６、２６が形成されている。尚、２７は電解液注入口を閉じる封栓で、電池缶２２内に電解液を注入した後、電解液注入口は封栓２７によって閉じられ、封栓２７は封口板２３に溶接される。
【００３１】
前記係合突起２６は、封口板２３の所定位置にプレス加工により円筒状に突出部を形成し、円筒の頂部が周囲に開くようにプレス加工すると、図１（ｂ）に示すようなキノコ状に形成される。
【００３２】
また、図２（ａ）（ｂ）に示すように、封口板２３ａの両側にハトメ状の係合部材１２６を溶接接合した二次電池２ａに構成することができる。この係合部材１２６の溶接は、図３に示すように、二次電池２ａの封口板２３ａの所定位置に係合部材１２６を位置決め配置し、係合部材１２６の頭部に一方の溶接電極１０１を当接させ、係合部材１２６を封口板２３ａに向けて加圧した状態とし、他方の溶接電極１０２を電池缶２２に加圧した状態で、溶接電極１０１、１０２の間に溶接電源１０３から溶接電流を流すことにより、係合部材１２６は封口板２３ａに抵抗溶接される。
【００３３】
係合部材１２６は、図４（ａ）に示すように、板材をプレス加工して有底筒状に形成すると共に、上端側にフランジ部１０５が形成されている。また、図４（ｂ）に示すように、封口板２３ａへの接合面となる底面１０６に突出部１０７を形成することにより、溶接部位を特定させてより確実な溶接接合が可能となる。即ち、突出部１０７に溶接電流を集中させ、突出部１０７と封口板２３ａの突出部１０７の当接部分とが集中的な抵抗発熱に伴って溶融し、加圧されていることにより突出部１０７は圧し潰され、係合部材１２６はその底面で封口板２３ａに圧接して溶接される。
【００３４】
また、係合部材１２６は、図５（ａ）（ｂ）（ｃ）に示すようなリベット状の係合部材１２６ａ、１２６ｂ、１２６ｃに形成することもできる。いずれもフランジ部１０５が形成され、図５（ｂ）に示す係合部材１２６ｂは、図５（ａ）に示す係合部材１２６ａの底面に複数の突出部１０８を形成したものであり、図５（ｃ）に示す係合部材１２６ｃは、図５（ａ）に示す係合部材１２６ａの底面中央部を頂点とする突出部１０９を形成したものである。前記突出部１０８、１０９は、前述の突出部１０７と同様に溶接時に溶接電流の集中部分を形成するもので、指定した部分で確実に抵抗溶接がなされるようになる。また、係合部材１２６ａ，１２６ｂ，１２６ｃは、電池缶２２及び封口板２３ａがアルミニウムで形成されている場合には、その材質が鉄に銅メッキ及び錫メッキを施したもの、あるいはアルミニウムとすることにより、溶接時の火花の飛び散りが少なく、溶接強度にバラツキが少なくなり安定化を図ることができる。
【００３５】
このように係合部材１２６を二次電池２ａに溶接して樹脂との係合部分を形成すると、係合部材１２６をプレス加工によって形成した封口板２３を用いた特殊な二次電池２を用いることなく、汎用的な二次電池２ａを用いて電池パックを構成できる利点がある。
【００３６】
また、プレス加工により係合突起２６を形成した場合には、内圧が異常上昇したときに破裂を防止するためのガス抜き構造は、電池缶２２の胴部分にスクライブや刻印による薄肉部分を形成して、内圧が異常上昇したとき薄肉部分から破断させて異常内圧を外部放出することになるが、前記係合部材１２６を後付けする構成では、図２に示すように、封口板２３ａにクラッド弁を用いた安全弁２０を構成することができる。
【００３７】
図２に示すように、封口板２３ａの一部は薄板を貼り合わせたクラッド板に形成され、クラッド板部分に開口部を形成して安全弁２０が設けられている。この安全弁２０は、温度上昇等の原因により電池缶２２内にガスが発生して内圧が異常上昇したときに薄板部分が破断した異常内圧を外部放出し、電池缶２２が破裂することを防止する。
【００３８】
上記のように係合突起２６または係合部材１２６（１２６ａ，１２６ｂ，１２６ｃ）を設けた二次電池２，２ａを用いた電池パック１の構成について以下に説明する。
【００３９】
図６は、上記二次電池２を用いて構成された電池パック１の外観を示すもので、一方端面に正極端子及び負極端子、温度検出端子からなる外部接続端子６を外部露出させ、後述するテスト端子３０上に水没シール９を貼着し、扁平な非対称形状に構成されている。図７は、電池パック１を各構成要素に分解して示すもので、以下に主要な構成要素の詳細を説明すると共に、製造方法について説明する。
【００４０】
図８に示すように、二次電池２を用いた場合にはリベット２５に温度ヒュ−ズ１０の一方接続片１０ａが溶接され、温度ヒューズ１０の上面には断熱シート１６が貼着され、後述する樹脂充填時に温度ヒューズ１０が溶断することを防止している。温度ヒューズ１０の他方接続片１０ｂは封口板２３上に貼着された絶縁紙２１上に配置され、後述する負極リード板５の一端にスポット溶接により接合される。また、温度ヒューズ１０と二次電池２との間には熱伝導性の接着剤が塗布され、二次電池２と温度ヒューズ１０とが熱結合した状態に構成される。
【００４１】
温度ヒューズ１０が取り付けられた二次電池２には、図９（ａ）に示すように、正極リード板４及び負極リード板５により回路基板３が取り付けられる。回路基板３は二次電池２を過充電や過放電、過電流から保護する保護回路を構成したもので、一方面に前記外部接続端子６やテスト端子３０が形成され、他方面に集積回路部品をはじめとする電子部品３１が実装され、両側に二次電池２に接続するための正極半田付けランド３２、負極半田付けランド３３が形成されており、前記正極半田付けランド３２には正極リード板４の一端が半田付けされ、負極半田付けランド３３には負極リード板５の一端が半田付けされる。正極リード板３２の他端は封口板２３の板面に、負極リード板３３の他端は前記温度ヒューズ１０の他方接続片１０ｂ上に、それぞれスポット溶接される。この接続状態では、回路基板３は封口板２３の板面に対して直交する方向になっているので、図９（ｂ）に示すように、正極及び負極の各リード板４、５を折り曲げ、回路基板３の板面と封口板２３の板面との間に間隙を設け、略並行になる状態に整形する。このように二次電池２に回路基板３を接続して、図１５（ａ）に示すような樹脂充填対象物７が形成される。
【００４２】
前記係合部材１２６を接合し、安全弁２０を形成した二次電池２ａを用いた場合には、図１０に示すように、リベット２５に温度ヒュ−ズ１０の一方接続片１０ａが溶接され、温度ヒューズ１０の上面には断熱シート１６が貼着され、後述する樹脂充填時に温度ヒューズ１０が溶断することを防止している。温度ヒューズ１０の他方接続片１０ｂは封口板２３上に貼着された絶縁紙２１上に配置され、後述する負極リード板５の一端にスポット溶接により接合される。また、安全弁２０上に樹脂シート４０を貼着し、図１０（ｂ）に示すように、回路基板３を正極リード板４及び負極リード板５により二次電池２に接続して樹脂充填対象物７を形成する。
【００４３】
次に、樹脂充填対象物７の二次電池２，２ａと回路基板３との間の間隙に樹脂を充填成形して二次電池２，２ａと回路基板３とを一体化する。図１１に示す一次モールド金型３５の下型３６内に樹脂充填対象物７を収容し、下型３６上に上型３７を下降させ、上型３７に設けられたゲート４４から二次電池２，２ａと回路基板３との間の間隙に樹脂を注入する。注入された樹脂は、図１２に示すように、回路基板３に実装された電子部品３１や正極及び負極の各リード板４、５の周囲にも回り込んで回路基板３に接合し、二次電池２ａの封口板２３ａ上に接合された係合部材１２６のアンダーカット部分にも回り込んで封口板２３ａに接合する。尚、図１２は、封口板２３ａに係合部材１２６を溶接した二次電池２ａを用いた場合を示しているが、封口板２３に係合突起２６を形成した二次電池２を用いた場合も同様の状態に樹脂充填される。
【００４４】
充填された樹脂を硬化させた後、一次モールド金型３５から取り出すと、図１５（ｂ）に示すような中間完成品８として取り出すことができる。係合突起２６または係合部材１２６は一次モールド体１１に対して凸状に入り込むと同時に凹部に樹脂が入り込む凹凸形状で係合し、更にアンダーカット部分が一種の投錨効果となって一次モールド体１１を二次電池２，２ａに固定し、二次電池２，２ａと回路基板３とを強固に接合し、回路基板３との一体化を確実にしている。
【００４５】
上記中間完成品８の周囲に外装被覆を施すことによって電池パック１に形成することができる。外装被覆は、二次モールディングと巻着シートの貼着によって施される。二次モールディングを実施する前に、二次電池２，２ａの底面にインシュレータ１４を貼着する。
【００４６】
二次モールディングは、二次モールド金型に前記中間完成品８を配置して、中間完成品８の所要部位に樹脂を成形する。図１３に示すように、二次モールド金型４６の下型４７には中間完成品８を収容する凹部５０が形成されており、凹部５０の一側壁面には内方に進出付勢される３個の外部接続端子用突起５１とテスト端子用突起５２とが設けられ、対向する他側壁面には内方に進出付勢される底面用突起５４が設けられている。凹部５０内に中間完成品８を配置し、前記外部接続端子用突起５１及びテスト端子用突起５２、底面用突起５４を進出させると、外部接続端子用突起５１は回路基板３上に形成された３か所の外部接続端子６に圧接し、テスト端子用突起５２はテスト端子３０に圧接し、底面用突起５４は二次電池２，２ａに底面に貼着されたインシュレータ１４の中央部位に圧接する。
【００４７】
この状態の下型４７上を上型４８で閉じ、上型４８に設けられたゲート５３から二次モールド金型４６内に樹脂を充填する。樹脂は４か所から二次モールド金型４６内に射出され、図１４に示すように、中間完成品８の外部接続端子６及びテスト端子３０を外部露出させ、インシュレータ１４の中央部位を外部露出させ、一次モールド体１１及び回路基板３を被覆し、図１５（ｃ）に示すように二次電池２ａの封口板２３ａ上に固着した上部成形部１７を形成すると共に、二次電池２ａの底面に貼着されたインシュレータ１４の周囲を包み込んで所定厚さに固着した下部成形部１８を形成し、更に前記上部成形部１７と下部成形部１８とを二次電池２ａの側面コーナーで連結する連結成形部１９が形成される。尚、図１４に示す断面図は、封口板２３ａに係合部材１２６を接合した構成の二次電池２ａを用いた場合であるが、二次電池２を用いた場合も同様に構成される。
【００４８】
前記上部成形部１７の周面の二次電池２ａ寄りには段差部３８が形成されており、これを貼着位置決め線として、二次電池２ａの側周面を巻回して巻着シート２０が巻着される。この後、テスト端子３０を用いて動作状態が検査され、検査合格品にはテスト端子３０周囲の凹部内に水没シール９が貼着され、図６に示したような電池パック１が形成される。
【００４９】
このように形成された電池パック１は、扁平な一方面の両肩部分が二次電池２の両側面の円弧が表面に現れる円弧コーナーに形成され、他方面の両肩部分が連結成形部１９によって角形コーナーに形成されるので、外部接続端子６が非対称位置に形成されていることと相まって機器への逆装填が防止できる。また、円弧コーナーは機器ケースの角部のアール形状に対応し、無駄な空間が形成されることなく機器への収納が可能となる。
【００５０】
上記のように製造された電池パック１について、落下高さ１．５ｍでコンクリート上に６面各２サイクル落下させる自由落下試験、落下高さ１．０ｍで鉄板上に５０回落下させて機械的性能を見て、２００回落下させて電気特性を見るランダム落下試験を実施し、更に−４０℃から８０℃の温度変化を複数回加えるヒートショック試験、３方向の振動を加える振動試験、外部接続端子に荷重を加える端子強度試験を実施した。この試験後の電池パック１を機器に装着し、装着の異常がないか、正常に作動するか、変形や緩みがないかなどについて検証した。この結果、各試験後にも障害の発生は見られず、堅牢な構造であることが立証された。
【００５１】
また、２００℃を越える温度の樹脂を充填成形することによる二次電池２，２ａへの影響、あるいは樹脂充填部位に配設された温度ヒューズ１０の損傷について検証したが、異常発生はなかった。
【００５２】
また、完成した電池パック１を分解した場合の状態を検証するために、故意に分解を試みたところ、分解は一般的なパックケースを用いた構造に比して極めて困難であることが明らかであり、一次モールド体１１を破壊すると封口板２３，２３ａの両端に設けられた係合突起２６または係合部材１２６が破壊され、充填成形された中に存在する正極及び負極のリード板４、５や接続部分が破壊されて、分解されたことが容易に判断できる状態となった。
【００５３】
また、仕上がり外形寸法の精度は、各部の寸法が±０．１〜０．２ｍｍの誤差範囲に収まり、特に精度が要求される底面から外部接続端子６までの寸法も同誤差内であり、機器との接続に支障がない状態になることが確認された。
【００５４】
上記構成において、係合突起２６は封口板２３にキノコ状の突起を形成した例を示したが、図１６（ａ）（ｂ）（ｃ）（ｄ）に示すように、封口板２３に凸部及び／又は凹部を形成することもできる。
【００５５】
図１６（ａ）に示す係合突起６６は、封口板２３の両側に逆Ｌ字状に突出部を形成したもので、逆Ｌ字状の形状によってアンダーカット部分が形成される。この係合突起６６は、逆Ｌ字状の部材を溶接あるいは接着によって封口板２３に接合することにより形成できる。
【００５６】
また、図１６（ｂ）に示す形態は、封口板２３に係合凹部６７を形成したもので、封口板２３に有底円筒状に凹部を絞り加工した後、筒部が周囲に膨らむように圧縮プレスすることにより、凹部にアンダーカット部分が形成される。充填された樹脂は係合凹部６７内にも流入して、それが硬化したときアンダーカット部分により封口板２３から離脱することなく堅固に接合する。
【００５７】
上記２例の係合突起６６及び係合凹部６７は、アンダーカット部分を形成しているが、図１６（ｃ）（ｄ）に示す係合凸部６８、係合凹部６９のように、アンダーカット部分のない形状でも樹脂との係合には効果的なものとなる。
【００５８】
上記係合突起２６又は係合凹部６７を形成した封口板２３を用いて製造された二次電池２は、前述の実施形態のように回路基板３を封口板２３上に樹脂の充填成形により一体化して電池パックに構成する場合に有効なものとなるが、一般的な使途に用いる二次電池２としては係合突起２６又は係合凹部６７は無用の構成物となる。汎用品として大量生産される二次電池を用いて樹脂の充填成形により回路基板３を一体化するには、前記係合部材１２６のように封口板２３ａに後付けする形態のものが好適で、電池パック１を製造するために特殊な二次電池２を用意する必要がない。汎用品である二次電池２ａの封口板２３ａに係合部材１２６を接合すると二次電池２と同様の形態が得られるので、前述の製造工程により電池パック１を製造することができる。
【００５９】
以上説明した実施形態の構成は、二次電池２，２ａの封口板２３，２３ａ上に樹脂により回路基板３を一体化した電池パック１の例であるが、二次電池２，２ａの底面側あるいは側面側に回路基板３あるいは端子板等を樹脂により固定する場合もある。このような場合には、電池缶２２の底面あるいは側面に前述のような樹脂係合用の凸部及び／又は凹部を設けることにより、樹脂を二次電池２，２ａに係合させて一体化する回路基板３あるいは端子板等を強固に固定することができる。
【００６０】
【発明の効果】
以上の説明の通り本発明によれば、二次電池と回路基板とを樹脂モールディングにより一体化した電池パックを構成する際に、充填された樹脂を二次電池に確実に係合させることができ、小型の携帯電子機器に適した電池電源として落下等の衝撃に耐え得る堅牢性を備え、分解されて間違った使用に用いられることを防止する構造を備えた電池パックを提供することができる。
【図面の簡単な説明】
【図１】実施形態に係る二次電池の構成を示す（ａ）は平面図、（ｂ）は断面図。
【図２】係合部材を接合した二次電池の構成を示す（ａ）は平面図、（ｂ）は断面図。
【図３】係合部材を抵抗溶接する方法を示す模式図。
【図４】係合部材の構成例を示す断面図。
【図５】係合部材の構成例を示す側面図。
【図６】実施形態に係る二次電池を用いた電池パックの外観を示す斜視図。
【図７】同上電池パックの各構成要素を示す分解斜視図。
【図８】二次電池に温度ヒューズを取り付けた状態を示す平面図。
【図９】回路基板の二次電池への取付け状態を示す斜視図。
【図１０】回路基板の二次電池への取付け状態を示す斜視図。
【図１１】一次モールド金型の構成を示す斜視図。
【図１２】一次モールド体を形成した状態を示す断面図。
【図１３】二次モールド金型の構成を示す斜視図。
【図１４】二次モールド体を形成した状態を示す断面図。
【図１５】製造工程の各段階での形成状態を順に示す斜視図。
【図１６】係合突起の変形例を示す封口板の断面図。
【符号の説明】
１　電池パック
２　二次電池
３　回路基板
６　外部接続端子
７　樹脂充填対象物
８　中間完成品
１１　一次モールド体
１２　二次モールド体
２３、２３ａ、２３ｂ　封口板
２６　係合突起
３５　一次モールド金型
６７　係合凹部
１２６、１２６ａ，１２６ｂ，１２６ｃ　係合部材
【図１】
2004006244.tif 000003
【図２】
2004006244.tif 000004
【図３】
2004006244.tif 000005
【図４】
2004006244.tif 000006
【図５】
2004006244.tif 000007
【図６】
2004006244.tif 000008
【図７】
2004006244.tif 000009
【図８】
2004006244.tif 000010
【図９】
2004006244.tif 000011
【図１０】
2004006244.tif 000012
【図１１】
2004006244.tif 000013
【図１２】
2004006244.tif 000014
【図１３】
2004006244.tif 000015
【図１４】
2004006244.tif 000016
【図１５】
2004006244.tif 000017
【図１６】
2004006244.tif 000018